(57)【要約】【課題】防水構造が、強風時の負圧によって巻き揚げられて吹き飛んだり、あるいは部分的な揚力の作用で破断、亀裂を生じて捲れ上がり、建築物周辺に飛散してしまうことがないようにする、新規な構造からなる防水層飛散防止構造、およびそれを使用した新規な防水層飛散防止方法を提供する。【解決手段】屋上面に１既に防水構造２の施された建築物の、屋上周縁の少なくとも一組の対峙する二辺の各辺の適所に夫々連結金具３，３，……を設け、連結金具３，３間に連結金具間の距離を越える長さ寸法に設定したロープ５，５，……の端部夫々を脱着自在に繋着し、その中途部を屋上面防水構造部分の表面に接地するよう弛ませてなる防水層飛散防止構造である。【選択図】　　図２
2004132057.tif 000002
【特許請求の範囲】
【請求項１】
屋上面に既に防水構造の施された建築物の、当該防水構造とされた屋上周縁の少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなるものとしたことを特徴とする防水層飛散防止構造。
【請求項２】
屋上面に既に防水構造の施された建築物の、当該防水構造とされた屋上周縁の少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなるものとし、強風による負圧を受けて屋上面から剥離し、浮上しようとする防水構造、またはその一部を抑え込み可能とするようにしたことを特徴とする防水層飛散防止構造。
【請求項３】
インシュレーション材、アスファルト、モルタル、塗装、プラスチックシート、合成ゴムシート類等を適宜選択、施工して屋上面に既に防水構造の施された建築物の、屋上パラペット部の屋上面に面する周壁面の中、少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなるものとしたことを特徴とする防水層飛散防止構造。
【請求項４】
連結金具は、少なくとも各辺の両端から夫々１／４程度内側となる辺りに、夫々少なくとも１個ずつ設けられ、互いに対峙状となる連結金具間全てか、選択されたもの同士間に、連結金具間の距離を越える長さ寸法に設定したロープの端部夫々を脱着自在に繋着し、その中途部を屋上面防水構造部分の表面に接地するよう弛ませてなるものとした、請求項１ないし３何れか記載の防水層飛散防止構造。
【請求項５】
インシュレーション材を敷設し、その上面にメンブレン防水工法による防水構造が既に施された建築物の、屋上パラペット部の屋上面に面する周壁面の中、少なくとも一組の対峙する二辺の各辺の水平方向に所定間隔を隔てた複数適所の夫々に連結金具を設け、互いに対峙状となる連結金具間全てか、選択されたもの同士間に、夫々の連結金具間距離を越える長さ寸法に設定したワイヤーロープの環状に形成された端部の夫々を着脱機構を介して繋着し、それらワイヤーロープ中途部を屋上面防水構造の表面に接地するよう弛ませてなるものとしたことを特徴とする防水層飛散防止構造。
【請求項６】
インシュレーション材を敷設し、その上面にメンブレン防水工法による防水構造が既に施された建築物の、屋上パラペット部の屋上面に面する周壁面の中、少なくとも一組の対峙する二辺の各辺の水平方向に所定間隔を隔てた複数適所の夫々に連結金具を設け、互いに対峙状となる連結金具間全てか、選択されたもの同士間に、夫々の連結金具間距離を越える長さ寸法に設定したワイヤーロープの環状に形成された端部の夫々を着脱機構を介して繋着し、それらワイヤーロープ中途部を屋上面防水構造の表面に接地するよう弛ませてなるものとし、屋上面防水構造の表面所定間隔置きに複数本のワイヤーロープが敷設状とされ、強風による負圧を受けて屋上面から剥離、浮上しようとする防水構造、またはその一部を抑え込み可能とするようにしたことを特徴とする防水層飛散防止構造。
【請求項７】
連結金具が、その基部を、建築物の鉄筋構造部に対して機械的に一体化されるよう溶接またはボルト・ナット等の連結構造、または予め鉄骨、鉄筋構造の一部として形成されてなるものとした、請求項１ないし６何れか記載の防水層飛散防止構造。
【請求項８】
連結金具は、相対する二組以上の各辺の両端から夫々１／４程度内側となる辺りに、夫々少なくとも１個ずつ設けられ、互いに対峙状となる連結金具間全てか、選択されたもの同士間に、連結金具間の距離を越える長さ寸法に設定したロープの端部夫々を脱着自在に繋着し、ロープの配置状態が井桁状または荒い目の網状に形成されてなるものとした、請求項１ないし７何れか記載の防水層飛散防止構造。
【請求項９】
ロープが、互いの交叉部同士を結着、あるいは結着具等を添設して縛り着けられてなるものとした、請求項８記載の防水層飛散防止構造。
【請求項１０】
屋上面に既に防水構造の施された建築物の、当該防水構造とされた屋上周縁の少なくとも一組の対峙する二辺の各辺の適所に夫々連結金具を設けた後、これら連結金具間に、連結金具間の距離を越える長さ寸法に設定したロープの中途部を屋上面防水構造部分の表面に接地するよう弛ませた状態とした上、その端部の夫々を、脱着自在に繋着したものとし、強風の無い条件下で屋上作業を行うときにはロープを屋上面防水構造部分上から一時的に撤去して作業を行い、屋上作業が終了した後には、ロープを再度、繋着して通常時においてはロープが屋上面防水構造の表面上に弛ませた状態に配置されており、強風の通過によって生じた負圧を受けた屋上面防水構造またはその一部が、屋上面から剥離、浮上しようとしたときに、ロープが緊張状となって当接してこれを抑え込むことにより、屋上面防水構造またはその一部の飛散、落下を防止するようにしたことを特徴とする、請求項１ないし９何れか記載の防水層飛散防止構造を使用した防水層飛散防止方法。
【請求項１１】
インシュレーション材を敷設し、その上面にメンブレン防水工法による防水構造が既に施された建築物の、屋上面に既に防水構造の施された建築物の、当該防水構造とされた屋上周縁の少なくとも一組の対峙する二辺の各辺の適所に夫々連結金具を設けた後、これら連結金具間に、連結金具間の距離を越える長さ寸法に設定したロープの中途部を屋上面防水構造部分の表面に接地するよう弛ませた状態とした上、その端部の夫々を、脱着自在に繋着したものとし、強風の無い条件下で屋上作業を行うときにはロープを屋上面防水構造部分上から一時的に撤去して作業を行い、屋上作業が終了した後には、ロープを再度、繋着して通常時においてはロープが屋上面防水構造の表面上に弛ませた状態に配置されており、強風の通過によって生じた負圧を受けた屋上面防水構造またはその一部が、屋上面から剥離、浮上しようとしたときに、ロープが緊張状となって当接し、抑え込むことにより、屋上面防水構造またはその一部の飛散、落下を防止できるようにしたことを特徴とする、請求項１ないし９何れか記載の防水層飛散防止構造を使用した防水層飛散防止方法。
【発明の詳細な説明】
【０００１】
【発明の目的】
この発明は、建築物の主として屋上面に採用される防水層の飛散、脱落を防止する技術に係わるものであって、防水層が、強風時の負圧によって巻き揚げられて吹き飛んだり、あるいは部分的な揚力の作用で破断、亀裂を生じて捲れ上がり、建築物周辺に飛散してしまうことがないようにする、新規な構造からなる防水層飛散防止構造、およびそれを使用した新規な防水層飛散防止方法を提供しようとするものである。
【０００２】
【従来の技術】
オフィスビルや校舎、ホテル等といった鉄骨建築やコンクリート建築には欠かせない陸屋根形式の大型建築物を可能としたのは、構造躯体技術の進展が大いに寄与していることに相違はないが、それと共に、防水施工方法の進歩、発展を見逃すことはできない。特に、アスファルトその他有機質コンパウンドによるコロイド性被膜を、アスベスト系、ガラス繊維系、合成繊維系の素材で開目織布や不織布とし、それらを単独かあるいは適宜アスファルト等を含浸させた各種芯材と交互に積層状にしていき、防水の主役であるコロイド性被膜層を保護、強化しながら多層防水構造に仕上げるメンブレン防水工法の登場は、防水加工の初期段階に採用されていた、単にアスファルトをそのままかマスチック状にしたものに、麻・綿等の粗布を芯材として形成する防水構造や、アスファルトを含浸させたルーフィング材を芯材としたもの等に比較し、その防水機能が飛躍的に高められるものとなったことから、陸屋根形式の大型建築物の実現化を大いに後押し、経済的発展も手伝ったビルラッシュの近代都市造成に拍車を掛けることとなったといえる。
【０００３】
これら大型建築物等に代表される建築物の陸屋根は、屋上を人が利用する空間となるかどうかという建築物の用途の面と、建築強度を左右する荷重の問題や防水構造のメンテナンスの問題等、建築物の構造上の面とを考慮して分類してみると、メンブレン防水層を、ラス入りモルタル層や、軽量コンクリート層、発泡コンクリート層、あるいは砂利撒き層等の押え層によって完全に被覆してしまう構造の陸屋根と、メンブレン防水層をそのまま露出させてしまう露出防水構造の陸屋根とがあり、後者の露出防水構造の陸屋根の場合、強風が陸屋根面を吹き抜けていく際に、強い負圧状態となって屋上揚力が作用してしまう結果、一部の防水層に上下動が繰り返され、その部分に破断や亀裂を惹起してしまって防水機能に支障を来したり、それらが嵩じてしまうと大きな面積に渡って巻き上がって完全に防水層を破壊してしまう外、希にはそれらが剥がれて屋上から外に吹き飛ばされ、地上に落下して事故を起してしまうといった深刻な事態に立ち至ることもある。
【０００４】
このような防水層の剥離や脱落の発生を防止する技術として、本願出願人においては、既に特開平９−１７０３０７号公報に開示されているとおりの「露出防水層浮上り防止工法、およびその専用押圧部材」発明を既に開発済みであり、防水機能の確保と防水層の剥離防止との両面において良好な結果を得ているが、この開発隅の当該先願発明を採用、実施する際には、所定本数の専用押圧部材を屋上面に打ち込む作業を行わなければならず、それが新築の現場であるならば何等の支障もなく、極めて秀れた防水構造の実現化を可能にするものの、施工に際して伴う専用押圧部材の打込み打撃音の問題は、それが防水層の改修工事であって、対象建築物が特に病院や学校校舎等のように、改修工事中にあっても、そのまま利用を継続していなければならない場合に、安静な療養や良好な授業環境を阻害してしまうことが大いに懸念され、その結果、それらの類いの建築物では、防水層浮上り防止のための改修工事が先送りされ、その間に運悪く前記したような事故に見舞われてしまうという不幸な事態を否定することができない。
【０００５】
この発明は、上記のような実態に鑑み、改修施工に際しても振動や騒音を発生することがなく、しかも比較的簡便で短時間の中に設置作業を終了させることのできる有効な手段の実現化ができないものかとの判断から、逸速くその開発、研究に着手し、長期に渡る試行錯誤と幾多の試作、実験とを繰り返してきた結果、今回、遂に新規な構造からなる防水層飛散防止構造、およびそれを使用した新規な防水層飛散防止方法を完成することに成功したものであり、以下では、図面に示すこの発明を代表する実施例と共に、その構成を詳述することとする。
【０００６】
【発明の構成】
図面に示すこの発明を代表する実施例からも明確に理解されるように、この発明に包含される防水層飛散防止構造は、基本的に次のような構成から成り立っている。
即ち、屋上面に既に防水構造の施された建築物の、当該防水構造とされた屋上周縁の少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなるようにした構成を要旨とする防水層飛散防止構造である。
【０００７】
この基本的な構成からなる防水層飛散防止構造を、他の表現によるものとして示すと、屋上面に既に防水構造の施された建築物の、当該防水構造とされた屋上周縁の少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなるものとし、強風による負圧を受けて屋上面から剥離し、浮上しようとする防水構造、またはその一部を抑え込み可能とするようにした構成からなる防水層飛散防止構造であるということができる。
【０００８】
この基本的な構成からなる防水層飛散防止構造を、より具体的な構成のものとして示すと、インシュレーション材、アスファルト、モルタル、塗装、プラスチックシート、合成ゴムシート類等を適宜選択、施工して屋上面に既に防水構造の施された建築物の、屋上パラペット部の屋上面に面する周壁面の中、少なくとも一組の対峙する二辺の各辺の適所に夫々連結金具を設け、これら連結金具間に、連結金具間の距離を越える長さ寸法に設定したロープの端部夫々を脱着自在に繋着し、その中途部を屋上面防水構造部分の表面に接地するよう弛ませてなる構成とした防水層飛散防止構造ということができる。
【０００９】
この発明の防水層飛散防止構造を、表現を変えてさらに具体的な構成で示すと、インシュレーション材を敷設し、その上面にメンブレン防水工法による防水構造が既に施された建築物の、屋上パラペット部の屋上面に面する周壁面の中、少なくとも一組の対峙する二辺の各辺の水平方向に所定間隔を隔てた複数適所の夫々に連結金具を設け、互いに対峙状となる連結金具間全てか、選択されたもの同士間に、夫々の連結金具間距離を越える長さ寸法に設定したワイヤーロープの環状に形成された端部の夫々を着脱機構を介して繋着し、それらワイヤーロープ中途部を屋上面防水構造の表面に接地するよう弛ませてなる防水層飛散防止構造となり、前記したこの発明の基本的な構成からなる防水層飛散防止構造に包含されている。
【００１０】
また、同様に、インシュレーション材を敷設し、その上面にメンブレン防水工法による防水構造が既に施された建築物の、屋上パラペット部の屋上面に面する周壁面の中、少なくとも一組の対峙する二辺の各辺の水平方向に所定間隔を隔てた複数適所の夫々に連結金具を設け、互いに対峙状となる連結金具間全てか、選択されたもの同士間に、夫々の連結金具間距離を越える長さ寸法に設定したワイヤーロープの環状に形成された端部の夫々を着脱機構を介して繋着し、それらワイヤーロープ中途部を屋上面防水構造の表面に接地するよう弛ませてなるものとし、屋上面防水構造の表面所定間隔置きに複数本のワイヤーロープが敷設状とされ、強風による負圧を受けて屋上面から剥離、浮上しようとする防水構造、またはその一部を抑え込み可能とするようにした防水層飛散防止構造もまた包含される。
【００１１】
屋上面防水構造は、基本的に屋上面から雨水や雪解け水等が浸透、あるいは流れ込み屋内に浸入してしまうことを防止可能とするものであり、屋上面の略全面に渡って連続的に密閉状の防水層を形成したものとれば足りるものであり、下地にプライマーを塗り、一枚あるいは複数枚のアスファルトルーフィングを張り重ねて押さえ層を形成するアスファルト防水や、延性に富むプラスチックシートまたは合成ゴムシートを接着剤または粘着剤で張り付けるシート防水、下地にプライマーを塗り、防水材をスプレーまたは刷毛で数回に渡り塗り重ねてゆく塗装防水、あるいはモルタルに防水用混和剤を混ぜてコンクリート下地に直接施工するモルタル防水等の一般的な構造のものの外、ポリスチレンフォームやフォームグラス発泡材系の断熱板、軟質繊維板やファイバーグラス等の繊維板系断熱材、あるいはパーライトや炭化コルク等の断熱材の外、工場において補強防水塗膜層を表面層に予め形成した硬質ポリウレタンフォーム等を含む各種インシュレーション材を下地に隙間なく敷き詰めて継ぎ目防水処理をしてから、その全表面上に前記した何れかの防水層を形成したり、単に最終仕上げ用の防水塗膜層だけを形成して防水層としたものとすること等が可能である。
【００１２】
この屋上面防水構造でも、メンブレン防水工法による防水構造としては、屋上面上に複数層の防水層を形成して高い水密性を確保すると共に、多数枚を重ね合わせることにより、水の浸透や浸入が発生してしまう確立を格段に減少させることを可能とする工法であることから、合成ゴムシート材やプラスチックシート材、塗料、ルーフィング材、アスファルト等の水を浸透しない水密性を有する素材を積層状に形成し、補修やメンテナンスのために屋上に上がった作業員の歩行や、作業中における工具の落下等に対する機械的耐久強度、空気中の酸素やオゾンの作用や太陽からの紫外線、年間を通じた気温変化や湿度変化等に耐える耐候性等の機能を有するものとすべきである。
【００１３】
そして、当該メンブレン防水構造におけるインシュレーション材は、屋上面の断熱性を高め、屋内への騒音の進入を防止すると共に、メンブレン防水工法の一部を形成して防水効果を高める機能を果たすものであり、例えばポリスチレンフォーム、フォームグラスといったい発泡材系の断熱板、あるいはパーライトや炭化コルク等既に多用されている工場において補強防水塗膜層を予め表面層に形成した硬質ポリウレタンフォーム等とすることができ、板状の定形素材で、断熱や防音効果を高めるためにある程度の肉厚を確保したものとするのが望ましい。なお、メンブレン防水工法によって形成される防水層には、特開平９−１７０３０７号公報に開示された露出防水層浮上り防止工法、およびその専用押圧部材のように、アンカー金具を用いて押圧、固定して強風の吹き付けによる負圧を受けて剥離、上昇しようとする防水層を抑え込み可能とするようにした構造によるものを含んでいる。
【００１４】
連結金具は、ロープの端部を、屋上面防水構造の外周縁付近であって少なくとも屋上面を挟んで対峙する二辺の各辺の適所に対して、強風による負圧を受けて剥離、浮上しようとする防水構造部を抑え込むに十分な強度で連結可能とする機能を果たすものであり、屋上面の外周縁部適所やそのパラペット部適所に十分な強度をもって定着、固定されたものとしなければならず、該連結金具と後述のロープ端部との連結には、当該ロープが、その端部を脱着可能に連結できる構造のものを採用するとすれば、該連結金具は、その基部を屋上面の適所に強固に植設した上、露出部がロープ端部を連結可能な環状、横転Ｕ型状あるいは鈎状等に形成されたものとする。
【００１５】
一方、この後述するロープ端部に着脱機構を用意していないものを採用する場合には、該連結金具は、その露出部に適宜構造による着脱機構を有するものとしなければならず、可動顎付きのフックやカラビナ等からなる脱着機構を設けたものとすべきである外、場合によっては、手動型ウインチ機構等による長さ調節機構を併設してなるものとすることも可能であり、屋上面外周縁部各辺の両端から夫々１／４程度内側となる辺りに、夫々少なくとも１個ずつ設けられ、互いに対峙状となる連結金具間全てか、選択されたもの同士間に、連結金具間の距離を越える長さ寸法に設定したロープの端部夫々を脱着自在に繋着し、その中途部を屋上面防水構造部分の表面に接地するよう弛ませてなるものとする。
【００１６】
ロープは、屋上面を挟んで対峙する一対の連結金具間に強固な連結構造によって繋着されたものとすることにより、強風による負圧を受けて剥離、浮上しようとする防水構造部を抑え込み可能とする機能を果たすものであり、強風によって巻き上げられようとする防水構造部の揚力に耐えるに十分な強度を確保したものとし、その全長が連結金具間の距離よりも長く、中途部が屋上面防水構造部上に接地するよう弛ませた状態に繋着できる寸法に設定されたものとしなければならず、天然繊維や合成樹脂繊維からなるロープや、ワイヤーロープ、チェーン等の材質に係わらず紐状に形成され、所望する強度を有するものであれば使用可能であり、両端部が、夫々環状に形成されて連結金具に設けられた着脱機構を介して着脱自在に連結されるものとするか、または、両端部の夫々に可動顎付きのフック、カラビナ、リングキャッチ、クリップジョイント、シャックルあるいはスイベルスナップ等の着脱機構を有する金具類を添設し、着脱自在に連結したものとするか、もしくは両端部を環状端とし、輪状に形成した連結金具に対して南京錠やカラビナ等の独立した着脱機構を有する金具を用いて、着脱自在に連結したものとすることができ、また、互いの交叉部同士を結着、あるいは結着具等を添設して縛り着けられてなるものとすることができる。
【００１７】
さらに、前記連結金具は、その基部を、建築物の鉄骨、鉄筋構造部に対して機械的に一体化されるよう溶接またはボルト・ナット等の連結構造、または予め鉄骨、鉄筋構造の一部として形成されてなるものとしたり、相対する二組以上の各辺の両端から夫々１／４程度（勿論この値に限定されている訳ではなく、この値は、一つの目安を示したに過ぎず、この発明の目的に適う最適な位置が選択されなければならない。）内側となる辺りに１個ずつ都合各辺２個ずつとするか、夫々各辺とも少なくとも１個ずつ（したがって、各辺に適宜間隔で多数個の場合が含まれる。）設けられ、互いに対峙状となる連結金具間全てか、選択されたもの同士間に、連結金具間の距離を越える長さ寸法に設定したロープの端部夫々を脱着自在に繋着し、ロープの配置状態が井桁状のものとしたり、あるいは十字状やＸ字状配置のもの、または荒い目の網状配置にしてなるものとすることができる。
【００１８】
【関連する発明】
この発明には、上記した防水層飛散防止構造に関連し、当該防水層飛散防止構造を使用した防水層飛散防止方法を包含するものであり、その構成は基本的に次のとおりの構成を要旨とするものである。
即ち、屋上面に既に防水構造の施された建築物の、当該防水構造とされた屋上周縁の少なくとも一組の対峙する二辺の各辺の適所に夫々連結金具を設けた後、これら連結金具間に、連結金具間の距離を越える長さ寸法に設定したロープの中途部を屋上面防水構造部分の表面に接地するよう弛ませた状態とした上、その端部の夫々を、脱着自在に繋着したものとし、強風の無い条件下で屋上作業を行うときにはロープを屋上面防水構造部分上から一時的に撤去して作業を行い、屋上作業が終了した後には、ロープを再度、繋着して通常時においてはロープが屋上面防水構造の表面上に弛ませた状態に配置されており、強風の通過によって生じた負圧を受けた屋上面防水構造またはその一部が、屋上面から剥離、浮上しようとしたときに、ロープが緊張状となって当接してこれを抑え込むことにより、屋上面防水構造またはその一部の飛散、落下を防止するようにした、この発明が包含する前記防水層飛散防止構造を使用した防水層飛散防止方法である。
【００１９】
さらに、具体的には、インシュレーション材を敷設し、その上面にメンブレン防水工法による防水構造が既に施された建築物の、屋上面に既に防水構造の施された建築物の、当該防水構造とされた屋上周縁の少なくとも一組の対峙する二辺の各辺の適所に夫々連結金具を設けた後、これら連結金具間に、連結金具間の距離を越える長さ寸法に設定したロープの中途部を屋上面防水構造部分の表面に接地するよう弛ませた状態とした上、その端部の夫々を、脱着自在に繋着したものとし、強風の無い条件下で屋上作業を行うときにはロープを屋上面防水構造部分上から一時的に撤去して作業を行い、屋上作業が終了した後には、ロープを再度、繋着して通常時においてはロープが屋上面防水構造の表面上に弛ませた状態に配置されており、強風の通過によって生じた負圧を受けた屋上面防水構造またはその一部が、屋上面から剥離、浮上しようとしたときに、ロープが緊張状となって当接し、抑え込むことにより、屋上面防水構造またはその一部の飛散、落下を防止できるようにした、この発明が包含する前記防水層飛散防止構造を使用した防水層飛散防止方法であるということができる。
【００２０】
防水層飛散防止方法は、屋上面に防水構造を施工する前に、連結金具を鉄骨、鉄筋構造の一部として一体に形成したものとすることできる外、屋上面に防水構造を施工した後に、連結金具の基部を建築物の鉄骨、鉄筋構造部に対して機械的に一体化されるよう溶接またはボルト・ナット等の連結構造を介して結合したものとして施工することができる。また、屋上面に防水構造を施工する前、もしくは防水構造を施工した後に、屋上面周縁部の相対する二組以上の各辺の両端から夫々１／４程度（この値に限定されている訳でないこと、既述のとおり。）内側となる辺りに、夫々少なくとも１個ずつ都合各辺２個ずつとするか、夫々各辺とも少なくとも１個ずつ（したがって、各辺に適宜間隔で多数個の場合が含まれる。）設けられ、互いに対峙状となる連結金具間全てか、選択されたもの同士間に、連結金具間の距離を越える長さ寸法に設定したロープの端部夫々を脱着自在に繋着し、ロープの配置状態が井桁状のものとしたり、あるいは十字状やＸ字状配置のもの、または荒い目の網状配置にすることができる。
以下では、図面に示すこの発明を代表する実施例と共に、その構造について詳述することとする。
【００２１】
【実施例１】
図１の建築物屋上面の平面図、および図２のパラペット付近の断面図に示される事例は、鉄筋コンクリート造建築物の屋上面１の略全面に渡って防水構造２を施し、同屋上面の外周縁に形成された屋上パラペット部１１における内周壁面であって相対する各辺の両端部付近となる適所に、頭部に着脱機構４を有する環状部３２を設けた連結金具３を植設し、屋上面１を挟んで対峙するよう対をなす各連結金具３，３，……間に、対峙する連結金具３，３間の距離よりも長い寸法に設定されたワイヤーロープ５の端部を夫々連結し、当該ワイヤーロープ５の中途部が、屋上面１の防水構造２上表面に接地するよう弛ませた状態とした基本的構成からなるこの発明に包含される防水層飛散防止構造における代表的な一実施例を示すものである。
【００２２】
防水構造２は、複数の防水層を積層して高い防水性を確保するメンブレン防水工法によるものであり、建築物の屋上面１にアスファルトプライマーを用いてアスファルトルーフコーティングやアスファルトルーフィング等のアスファルト防水材２１を敷設し、その上にエチレンプロピレンゴムやクロロスルフォン化ポリエチレン等の合成ゴム系シート材２２を積層状に接着し、さらに、塩化ビニル系シート材（２２）を接着した上に、ウレタンゴム系やアクリルゴム系の塗膜防水材（２２）を塗装することによって形成されている。
【００２３】
連結金具３は、ワイヤーロープ５の端部を連結可能な環状に形成され、その一部に開閉可能な着脱機構４を形成した頭部３２と、屋上パラペット部に穿孔した図示しない下穴に打ち込み固定されたアンカーボルト型、あるいは、予め屋上パラペット部に埋設状に固着された図示しないナット部に螺合、結合可能なボルト型、もしくは、複数本のボルトによって固着される図示しないフランジ型のような適宜結合構造をもって植設される基部３１とを有し、屋上パラペット部１１の屋上面１に面する内側周壁面の、屋上面１の各隅部に近い適所に対して強固に固着されている。
【００２４】
着脱機構４は、連結金具３の環状に形成された頭部３２のワイヤーロープ５による牽引力が直接的に働かない基部３１に近い部分に、手動操作によって環形状の一部を開閉可能な可動顎部４１を有し、該可動顎部４１が図示しない内蔵スプリングによって自動的に閉鎖される構造となっている。また、可動顎部４１は不用意に開放しないように、適宜構造による仮固定機構や安全装置等を設けたものとすることができる。
【００２５】
ワイヤーロープ５は、屋上面１を挟んで対峙する、装着対象となる一対の連結金具３，３間の距離に、連結金具３から屋上面１防水構造２上表面までの高さ寸法の約二倍分の寸法を加えた全長寸法となるよう設定されており、その両端部には、夫々輪状の連結端５１，５１が形成されたものとなっている。装着の対象である一対の連結金具３，３に、各端部５１，５１を連結すると、ワイヤーロープ５の中途部の殆どが、図２中に示されるように屋上面１防水構造２上表面に接地し、弛ませた状態に敷設されたものとなり、図１中に示すように平面四角形状の屋上面１に対して合計四本が平面略井桁状をなすよう配置されたものとなる。
【００２６】
【実施例２】
図３の建築物屋上面の平面図、および図４のパラペット付近の断面図に示される事例は、平断面の一部を反転Ｌ型状に切り欠いた形状の建築物屋上面１にメンブレン防水工法による防水構造２を形成し、その周縁部を、屋上パラペット部１１の内周壁面に沿って上方に延伸させたものとした上、同屋上パラペット部１１の内周壁面適所に複数の連結金具３，３，……を設け、屋上面１を挟んで対峙する連結金具３，３間の夫々に、ワイヤーロープ５を掛け渡してなるこの発明の防水層飛散防止構造に包含される他の実施例を示すものである。
【００２７】
防水構造２は、屋上面１の全面に渡って積層状に形成され、その外周縁部を屋上パラペット部１１の屋上面１に面する内周壁面に沿って延伸させた状態に形成し、各連結金具３，３，……の基部３１，３１，……の夫々が、これら防水構造２延伸部を肉厚方向に貫通し、屋上パラペット部１１に強固に植設されたものとなっており、屋上パラペット部１１の周壁面同士が交叉する各隅部の近傍毎に、各連結金具３，３，……が、略水平状に突設されたものとなっている。
【００２８】
屋上面１の反転Ｌ型状に形成された凹欠形状部に隣接する屋上パラペット部１１，１１に植設された連結金具３，３の夫々に、屋上面１を挟んで対峙する屋上パラペット部１１，１１の各中途部にも、連結金具３，３が夫々強固に植設されたものとなっており、各一対の連結金具３，３，……間に、ワイヤーロープ５，５，……が配置され、それら両端に形成された輪状の連結端５１，５１，……を繋着し、中途部を屋上面１の防水構造２の上表面に接地するよう弛ませた状態に連結したものとなっている。
【００２９】
【実施例３】
図５のパラペット付近の断面図に示される事例は、屋上面１のコンクリート下地上に、絶縁コートを塗布し、その上に、所定厚であって所定寸法の矩形平板状のポリスチレンフォームからなるインシュレーション材２３を隙間なく敷き詰め、その継ぎ目を利用して、所定サイズの径の垂直孔を屋上面１の複数適所に所定深さにまで達するようにして穿孔し、それら垂直孔の夫々に、脚部６１が拡張栓状に形成されたアンカー金具６，６，……を打ち込んで確りと固定状とした上、それらの各頭部６２，６２，……に、ステンレス製薄平板６３，６３，……の略中央に形成された連結孔６４，６４，……を嵌め、頭部ナット６５，６５，……を螺合することにより、インシュレーション材２３，２３，……を押圧状とし、ステンレス製薄平板６３，６３，……の各上部にステンレス製防水板６６，６６，……を被冠状に装着し、ステンレス製防水板６６，６６，……を含むインシュレーション材２３，２３，……の継ぎ目の全てに図示しない継ぎ目防水を施してから、ステンレス製薄平板６３，６３，……を含むインシュレーション材２３，２３，……上部の全てに合成ゴム系シート材２２や、塗装ウレタンゴム系の塗膜防水材（２２）等をメンブレン防水工法によって施工してなる防水構造である。
【００３０】
当該メンブレン防水工法による防水構造２の屋上パラペット部１１の内周面に対応する周縁部を、同屋上パラペット部１１内周面に沿って上方に延伸したものとし、連結金具３，３，……の各基部３１，３１，……が、防水構造２の同屋上パラペット部１１に沿って延伸された周縁部を貫通した状態となっている。さらに、連結金具３，３，……の各基部３１，３１，……の夫々は、屋上パラペット部１１中に有って建築物のコンクリート壁を強化する鉄骨、鉄筋構造１２に一体化されたものであり、同連結金具３の頭部３２は、屋上面１の中央側に向かう程、もしくは、屋上面１を挟んで対峙する他方の連結金具３に向かう程、下向きに傾斜された状態に固定され、雨水が基部３１側に向かって流れないように配慮されたものとなっている。
【００３１】
そして、屋上面１を挟んで夫々対をなす各連結金具３，３，……間に、装着の対象となる連結金具３，３間の長さよりも長いワイヤーロープ５を掛け渡し、それらワイヤーロープ５，５，……の各端部には、手動操作によって開閉可能な着脱機構４を有する連結端５１，５１が設けられており、各連結端５１，５１を着脱機構４を操作して連結金具３，３，……に連結され、各ワイヤーロープ５，５，……の中途部の殆どが図５中に示すように屋上面１の防水構造２の上表面に接地した状態に敷設されたものとなっている。
【００３２】
【作　用】
以上のとおりの構成からなるこの発明の防水層飛散防止構造は、以下に示す防水層飛散防止方法によって施工され、利用することが可能となる。
即ち、図１および図２中に示されるように、屋上面１に、アスファルト防水材２１を敷設し、その上に合成ゴム系シート材２２および塩化ビニル系シート剤（２２）を隙間なく敷き詰めた状態に接着した上、さらに一層または複数層の塗膜防水材（２２）を塗装することにより、防水構造２を形成したものとする一方で、屋上パラペット部１１の屋上面１１に面する内周壁面の適所毎に、連結金具３，３，……の基部３１，３１，……を、夫々適宜結合構造をもって植設状に固着したものとし、屋上面１１を挟んで対峙し、対をなす各連結金具３，３，……の環状に形成された頭部３２，３２，……には、可動顎部４１，４１，……を有する着脱機構４，４，……が設けられ、各連結金具３，３，……間の距離よりも長い寸法に設定されたワイヤーロープ５，５，……両端の輪状連結端５１，５１，……を、夫々対応する各連結金具３，３，……に連結し、中途部の殆どを屋上面１防水構造２上に接地した状態に弛ませることにより、防水層飛散防止構造の施工を行うことができる。
【００３３】
屋上面１に施工された防水層飛散防止構造は、建築物が強風に曝されて屋上面１に平行して通過する際の圧力変動によって生じる負圧に起因し、複数層に積み重ねられた防水構造２が、屋上面から剥離してしまい、浮上しようとしたときに、それまで防水構造２上表面に弛んで接地していたワイヤーロープ５が、上方に向かって膨出状、あるいは一部が剥離、破断して捲れ揚がり状となった防水構造２によって緊張状態となり、それ以上の防水構造２の浮上を抑え込むものとなって、防止構造２の飛散、落下を阻止することとなる。
【００３４】
また、屋上面１のメンテナンスや改装工事を施工する際等、作業員が屋上を歩き回るときには、作業を行う前に、必要に応じて一部の、あるいは全てのワイヤーロープ５，５，……を、着脱機構４，４，……を手動操作によって開放することにより、取り外して作業の邪魔にならないよう一時的に撤去することが可能であり、作業が終了した後には再度、手動操作によって着脱機構４，４，……を操作して各ワイヤーロープ５，５，……を、対応する連結金具３，３，……間に連結して防水層飛散防止構造を再構築することが可能である。
【００３５】
図３および図４に示した防水層飛散防止構造もまた、前記したものと略同様の施工、利用が可能であり、防水構造２の外周縁部を屋上パラペット部１１の内周壁面に沿って上方に延伸し、その肉厚部を貫通するように連結金具３の基部３１を植設した構造としたことにより、防水構造２の外周縁部の結合強度を向上させ、より剥離や浮き上がりに対する強度を高めたものとすることができる。
【００３６】
また、図５に示した防水層飛散防止構造は、屋上面１上にインシュレーション材２３，２３，……を敷設し、その上層にメンブレン防水工法による合成ゴム系シート材２２や、塗装ウレタンゴム系の塗膜防水材（２２）等を積層状とした防水構造２とするよう施工したことにより、断熱性と遮音性に秀れた屋上面１に改装することができる上、複数適所にアンカー金具６，６，……を、合成ゴム系シート材２２や、塗装ウレタンゴム系の塗膜防水材（２２）等の下層側に設けて、インシュレーション材２３，２３，……を押圧したものとすることにより、強風を受けたときのインシュレーション材２３，２３，……の屋上面１からの剥離や浮き上がりを防止することができるものとなり、さらに、各連結金具４，４，……間に連結されたワイヤーロープ５，５，……が、インシュレーション材２３，２３，……を含む防水構造２の上昇を抑え込み、飛散や落下を防止することができる。また、屋上パラペット部１１の内周壁面に植設された連結金具３，３，……の基部３１，３１，……が、建築物の鉄骨、鉄筋部分に一体に結合された構造となっているので、高い強度での支持が可能であり、しかも、頭部３２，３２，……が斜め下方に傾斜されているので、雨水等が防水構造２の内部に浸入してしまうことを阻止することができる。
【００３７】
【効　果】
以上のとおり、この発明の防水層飛散防止構造によれば、何よりも先ず、屋上面に形成された防水構造が、強風の通過に伴って発生する強い負圧による揚力に抗しきれずに剥離し、屋上面から浮上してしまう事態となったときに、屋上周縁の対峙する二辺の適所に夫々設けられた連結金具間に、屋上面に設置するよう弛ませた状態とするように両端部を接続したロープが、その自重によって膨出状となって浮上する防水構造の上面を抑え込み、それ以上、上昇して亀裂や破壊が進展しまうことを阻止すると共に、防水構造に生じた裂け目が強風の煽りを受けて剥がし取られ、分裂して周囲に飛散してしまうのを阻止し、建築物周辺に落下するのを確実に防止することができるので、落下による事故の発生を防ぐことができるという秀れた効果を発揮するものである。
【００３８】
さらに、この発明の防水層飛散防止方法によれば、屋上面に既に防水構造が施された建築物であっても、この発明の防水層飛散防止構造を施工することが可能であり、しかも施工工事は、屋上周縁の所定複数箇所に、夫々連結金具を設け、これら連結金具の対をなすもの同士に、夫々ロープを連結することによって設置可能なことから、比較的短時間の中に施工作業を完了することができる上、屋上面に直接的にアンカー金具を多数打ち込むような激しい騒音を発生する作業が不要となるため、特に病院や学校校舎等のように工事による騒音の発生を好まない建築物にも施工が可能となり、しかも、連結金具間に接続されたロープは、屋上面防水構造の上表面に接地するよう弛ませた状態に敷設することにより、作業者が屋上に上ったときに邪魔にならず、さらに、脱着可能に接続されているロープは、屋上での作業前に容易に取り外すことができ、作業終了後には再度、簡単に接続することができるので、簡便に屋上での作業安全性を確保することができるという大きな特徴が得られることになる。
【００３９】
特に、実施例に説明した防水層飛散防止構造、およびそれを使用した防水層飛散防止方法は、上記した特徴に加え、図４に示したように、防水構造２の周縁部を屋上パラペット部１１の内周壁面に沿って上方に延伸させた上、その周縁部の肉厚方向に連結金具３，３，……の基部３１，３１，……を貫通した状態に植設したものとして、さらに高い防水性を確保することができると共に、防水構造２をワイヤーロープ５，５，……がその自重で抑え込む効果に加えて、各連結金具３，３，……自体も、防水構造２の周縁部を屋上パラペット部１１に繋ぎ止めるのに貢献するものとなり、防水層の剥離、飛散の防止効果を一段と高めることができるという利点が得られるものとなる。
【００４０】
また、図５に示したように、各連結金具３，３，……の基部３１，３１，……を、建築物の鉄骨、鉄筋構造に一体化したものとすれば、連結金具３，３，……による、各ワイヤーロープ５，５，……の繋着強度を格段に向上させることが可能となり、さらに、同図中に示すように、脚部６１，６１，……が屋上面１に達するよう打ち込まれた複数本のアンカー金具６，６，……を防水構造２中に埋設状とすれば、複数本のアンカー金具６，６，……によってインシュレーション材２３，２３，……の浮上を阻止する効果を大幅に向上させることができるという効果を奏するものとなる。
【００４１】
そして、図１および図３中に示したように、各ワイヤーロープ５，５，……の中途部を、屋上面１上に平面井桁状に交叉させた状態に繋着することにより、より高い押圧強度を確保することができ、さらに、各ワイヤーロープ５，５，……の交叉部同士を結合して網状をなすものとしてしまうことによって局部的に防水構造２の浮上が発生した場合にも、ワイヤーロープ５，５，……や連結金具３，３，……に加わる荷重を分散できる構造となり、さらに高い耐久強度を得ることができるという効果が発揮されることになる。
【００４２】
叙述の如く、この発明の防水層飛散防止構造、およびそれを使用した防水層飛散防止方法は、その新規な構成によって所期の目的を遍く達成可能とするものであり、施工作業も簡便で、少ない作業員数であっても比較的短時間の中に設置作業を完了することができるので、従前までの工事に比較し、施工単価を格段に経済的なものに抑えることができる上、高い安全性を確保できることから、施工工事およびその後のメンテナンス費用の削減と工期の短縮とを確実に達成可能にするものであり、高い防水性能と耐久性、周辺の安全性の確保、保守メンテナンスや改修工事の低価格化および静粛な工事等、多くの要求に応えることが求められる建築業界において高く評価され、広範に渡って利用、普及していくものになると予想される。
【図面の簡単な説明】
図面は、この発明の防水層飛散防止構造、およびそれを使用した防水層飛散防止方法の技術的思想を具現化した幾つかの実施例を示すものである。
【図１】建築物屋上面に施工された防水層飛散防止構造を示す平面図である。
【図２】屋上パラペット部付近の防水層飛散防止構造を示す断面図である。
【図３】平面Ｌ型状の建築物屋上面の防水層飛散防止構造を示す平面図である。
【図４】屋上パラペット部付近の防水層飛散防止構造を示す断面図である。
【図５】アンカー金具を追加した防水層飛散防止構造を示す断面図である。
【符号の説明】
１　　　屋上面
１１　　同　屋上パラペット部
１２　　同　鉄骨、鉄筋構造
２　　　防水構造
２１　　同　アスファルト防水材
２２　　同　合成ゴム系シート材
２３　　同　インシュレーション材
３　　　連結金具
３１　　同　基部
３２　　同　頭部
４　　　着脱機構
４１　　同　可動顎部
５　　　ワイヤーロープ
５１　　同　連結端
６　　　アンカー金具
６１　　同　脚部
６２　　同　頭部
６３　　同　ステンレス製薄平板
６４　　同　連結孔
６５　　同　頭部ナット
６６　　同　ステンレス製防水板
【図１】
2004132057.tif 000003
【図２】
2004132057.tif 000004
【図３】
2004132057.tif 000005
【図４】
2004132057.tif 000006
【図５】
2004132057.tif 000007